(57)【要約】  動作可能に結合された装置の動作を指示すること及び装置からの入力を受け取ることができる処理モジュールと、処理モジュールと動作可能に結合された少なくとも１つの記憶装置であって、マルチメディアコンテンツを記憶することができる少なくとも１つの記憶装置と、手術コンソールの機能の表現を表示し、非手術モードの間はマルチメディアコンテンツの選択された部分を表示することができるユーザインターフェースと、を備える手術コンソールが開示される。
2011502588.tif 000002
【特許請求の範囲】
【請求項１】
動作可能に結合された装置の動作を指示すること及び前記装置からの入力を受け取ることができる処理モジュールと、
前記処理モジュールと動作可能に結合された少なくとも１つの記憶装置であって、マルチメディアコンテンツを記憶することができる少なくとも１つの記憶装置と、
手術コンソールの機能の表現を表示すること、且つ、
非手術モードの間に、マルチメディアコンテンツの選択された部分を表示すること、
ができるユーザインターフェースと、
を備える手術コンソール。
【請求項２】
前記マルチメディアコンテンツが、広告、製品のアップデート、ニュース、音楽、映画、及びテレビ番組を含むグループの内の少なくとも１つを備える請求項１に記載の手術コンソール。
【請求項３】
更に、前記ユーザインターフェース上での表示のためにネットワークからマルチメディアコンテンツを提供できるネットワークインタフェースを備える請求項１に記載の手術コンソール。
【請求項４】
前記ネットワークインタフェースは、有線又は無線のイーサネット（登録商標）インターフェースである請求項３に記載の手術コンソール。
【請求項５】
前記ネットワークはインターネットである請求項３に記載の手術コンソール。
【請求項６】
前記記憶装置は、大容量記憶装置である請求項１に記載の手術コンソール。
【請求項７】
前記大容量記憶装置は、ハードディスクドライブ、ＤＶＤドライブ、ＣＤドライブ、テープドライブ、ソリッドステートメモリ及びＶＨＳデッキからなるグループの内の少なくとも１つである請求項６に記載の手術コンソール。
【請求項８】
前記ユーザインターフェースは、電子ディスプレイ画面である請求項１に記載の手術コンソール。
【請求項９】
前記電子ディスプレイ画面は、タッチスクリーンである請求項８に記載の手術コンソール。
【請求項１０】
前記非手術モードは、手術中又はその他の時に、前記手術コンソールが手術のために活動的に使用されていない時の任意の時である請求項１に記載の手術コンソール。
【発明の詳細な説明】
【背景技術】
【０００１】
人間の目は、軽度の劣化から視力の完全な喪失を引き起こす多くの病気をし得る。コンタクトレンズ及び眼鏡は、いくつかの軽度な病気を補償可能ではあるが、その他の病気については、眼科手術が必要である。一般に、眼科手術は、硝子体網膜手術などの後部セグメント手順と、白内障手術などの前部セグメント手順と、に分類される。最近では、組み合わせ型の前部及び後部セグメント手順が開発されている。
【０００２】
現代の手術、特に眼科手術においては、外科医は、様々な空圧型及び電気駆動型の微細手術ハンドピースを使用する。これらのハンドピースは、通常、フットペダルコントローラ、赤外線遠隔制御装置、及びメニュー駆動型のタッチスクリーンなどの様々な周辺装置によって外科医又は助手から入力を受け取るマイクロプロセッサ駆動型の手術コンソールによって稼働している。このような微細手術コンソールの１つが米国特許第５，４５５，７６６号明細書（シェラ−他）に記述されており、この内容は、本引用により、そのすべてが本明細書に包含される。
【０００３】
手術用の器具類をセットアップすることは、一般に、様々な電気ケーブル及び気体／流体管類等に関係するので、眼科手術コンソールのセットアップ及び操作は、非常に複雑であり得る。手術コンソールがセットアップ段階のような動作を完了するためにか、又は、患者の準備、助手が手順又は手続きを完了するのを待つこと、又は間近に手術手続きに遅れを引き起こす他の予期せぬ理由のような手術室における他の理由のために、セットアップ及び操作の間に、オペレータ又は外科医が待機している時間がしばしばある。そのような場合に、この時間は、空いた時間であり、手術コンソールの通常領域において、オペレータ、外科医及び／又は他の人間を指導する、情報を与える、単にもてなすという他の方法で使用され得る。しかしながら、現在存在する手術コンソールは、手術に直接関連すること及び手術コンソールの使用を超えて、多くの情報を表示する能力を備えていない。
【０００４】
従って、手術中、手術コンソールのセットアップ又は他の空いた手術コンソールの時間の適当な時間の間に、従来技術の手術コンソールによって提供されるものを超えて、手術コンソールにおいて情報及びコンテンツを提供するべく使用され得る手術コンソール情報表示システム及び方法が必要とされる。
【発明の概要】
【０００５】
本発明の実施形態は、手術コンソールの動作及び使用のために必要なことを超えて、手術コンソールディスプレイにおけるオーディオ及び／又はビジュアル情報を提供できる手術コンソールを提供することによって、この要求及びその他を満足する。例えば、本発明の実施形態は、特に、目標とする広告、医療ニュース及び製品のアップデート、及び現在のニュース、及びイベント情報を提供し得る。本発明の実施形態は、例えば、手術中に人又は装置を待つのに費やされる空いた時間の間に、又は、単に手術コンソールの非手術使用時間の間に、手術コンソールの通常の周りにおけるオペレータ（例えば外科医）、出術室の人及びその他の人が、情報を与えられる、教育される、又は単にもてなされることを許容する。本発明の実施形態は、当業者に既知のように、インターネット又はプライベートデータネットワークと接続した有線又は無線イーサネット（登録商標）のような、有線又は無線ネットワーク上のリアルタイムの接続によってか、又は、例えば、スケジュールされたソフトウェアアップデート又は周辺装置からのコンテンツの転送による新しいコンテンツの個々のアップロードによって、提供されるコンテンツ及び情報をアップデート又は変更することができる。
【０００６】
本発明の実施形態は、眼内手術を容易にするのに使用される手術コンソールを提供する。この手術コンソールは、処理モジュール、記憶装置、ユーザインタフェース、及びネットワークインターフェースを含む。処理モジュールは、オーディオ／ビジュアル表示システムの動作を指示すること、及びネットワーク又は周辺装置からの入力を受け取ることが可能である。これらの周辺装置は、例えば、コンパクトディスク、ハードドライブ、サムドライブ（ｔｈｕｍｂ−ｄｒｉｖｅ）、ＤＶＤ、ＶＨＳテープ又はオーディオ／ビジュアルコンテンツを記憶及び転送するための任意のそのような記憶装置を含む。
【０００７】
本発明の他の利点は、下記の図面を参照するのと共に、本明細書に記載される好ましい実施形態の詳細な説明を読み及び理解することによって、当業者により明らかになるだろう。
【０００８】
本発明及びその利点を更に十分に理解するために、類似の参照符号が類似の特徴を示している添付図面を併用して、下記の説明が述べられる。
【図面の簡単な説明】
【０００９】
【図１】本発明の実施形態が用い得るある手術コンソールの斜視図である。
【図２】本発明の実施形態によるある手術コンソールの機能ブロック図である。
【図３】図３Ａ〜３Ｃは、手術コンソールのスタートアップシーケンスにおける本発明の一実施形態の動作の一例を示す。
【図４】図４Ａ〜４Ｃは、手術コンソール１０のアイドルモードにおける本発明の一実施形態の動作の他の例を示す。
【図５】本発明の実施形態による手術コンソールの斜視図を示す。
【発明を実施するための形態】
【００１０】
本発明の好ましい実施形態は、図面に示されており、様々な図面の類似の又は対応する部分を示すべく、類似の参照符号が使用されている。
【００１１】
本発明の実施形態により提供される手術コンソール情報表示システム及び方法は、ＳＥＲＩＥＳ  ＴＷＥＮＴＹ  ＴＨＯＵＳＡＮＤ（登録商標）、ＬＥＧＡＣＹ（登録商標）、ＣＯＮＳＴＥＬＬＡＴＩＯＮ（登録商標）、ＩＮＦＩＮＩＴＩ（登録商標）又はＡＣＣＵＲＵＳ（登録商標）手術システムコンソールのような、ただしこれらに限定されないが、任意の適切な手術コンソールと共に使用され得る。これらの内の２つが図１及び図５に示されており、すべてはテキサス州フォートワースに所在するアルコン・ラボラトリー社から市販されている。
【００１２】
図１は、本発明の一実施形態の手術コンソール１０の説明を提供する。手術コンソール１０は、フットペダルアッセンブリ又はプッシュボタン型アッセンブリ（図示せず）のような多数のユーザインターフェース１２及び手術周辺装置１４と動作可能に結合し得る。コンソール１０は、コンソールに最初の操作パラメータ及びモードを設定することによって、外科医のようなオペレータが手術手順を開始することを許容する。これは、オペレータが、ユーザインターフェース１２又はフロントパネル１６に備えられた他のインターフェースを介して、手術コンソールと会話することを許容することによって実行され得る。これらのインターフェースは、電子ディスプレイ画面１７、１つ又は複数のプッシュボタンスイッチ又はタッチセンサ式パッド１８、１つ又は複数のエンドレスデジタルポテンショメータノブ２０、又は、当業者に既知の他の類似のインタフェースを含み得る。プッシュボタン１８及びノブ２０は、オペレータが、様々な手術パラメータにおいて使用される様々な異なる操作モード及び機能にアクセスすることを実現可能である。また、コンソール１０は、カセットテープ、メモリカード、フロッピー（登録商標）ディスク、コンパクトディスク（ＣＤ）、デジタルビデオディスク（ＤＶＤ）、又は当業者に既知の他の類似の装置のような記憶媒体を受け入れる能力を有する。
【００１３】
電子ディスプレイ画面１７は、オペレータが、様々なプッシュボタン１８及びノブ２０の機能及び操作に関係する１つ又は複数の異なるメニュー又はメッセージにアクセスすることを許容する処理モジュールによって制御され得る。一実施形態では、ディスプレイ画面１７は、個々のボタン１８又はノブ２０と関連するディプレイ画面領域に分割され得る。この配置は、各ボタン１８又はノブ２０に表示された機能が即座に変更されることを許容する。また、電子ディスプレイ画面１７の使用は、ボタン１８及びノブ２０が事実上任意の言語でラベル付けされることを許容する。電子ディスプレイ画面１７は、当業者に既知のように、タッチスクリーンであり、また、ここで述べられるような様々な手術コンソール１０の機能の表現を表示し得る。
【００１４】
手術コンソール１０は、多くの異なる手術機器（例えば、手術周辺装置１４）との使用に適合し得る。例えば、これらは、光ファイバ照明装置、手術用顕微鏡、硝子体除去ユニット、断片乳化装置（ｆｒａｇｍｅｎｔａｔｉｏｎ ｅｍｕｌｓｉｆｉｃａｔｉｏｎ ｉｎｓｔｒｕｍｅｎｔ）、硝子体除去手順用のギロチンカッターなどの切断装置、及び／又は比例した複数の切断用の微細な鋏インセット（ｍｉｃｒｏ−ｓｃｉｓｓｏｒｓ ｉｎｓｅｔ）を包含可能である。以上において識別された微細手術装置は、例示を目的として提供されたものであり、微細手術コンソール１０は、その他の類似の装備を有する装置と共に使用可能であることを理解されたい。また、手術コンソール１０は、これらと同じ機能を実行する類似のトレーニング装置に取り付けることが可能である。そのような場合、手術コンソール１０は、周辺装置１４又は装置の特定の部分に焦点をあてた個々の訓練（又はゲーム）の統合された使用のためのトレーニング手術手順に適合し得る。
【００１５】
一般に、空圧的又は電子的信号によって作動又は制御される任意の微細手術装置は、コンソール１０に動作可能に結合されると共に、コンソール１０によって制御され得る。この制御又は作動は、当業者には既知の空圧的、電子的、光学的、又はその他の類似の信号によって管理可能であり、この場合に、これらの信号は、手術コンソール１０によって生成される。手術コンソール１０に結合するこれらの図示の微細手術周辺装置１４のそれぞれのものは、手術コンソール１０によって提供され得る異なる設定又はパラメータを必要とし得る異なる動作モードを有しても良い。手術手順の特定の段階と関連付けられたこれらの動作パラメータ及び手術モードをメモリ内に保存することにより、手術手順のそれぞれの段階についてこれらの装置を手術コンソール１０を介して手作業で初期化するというしばしば退屈又は面倒なプロセスを除去して、微細手術周辺装置１４のセットアップが促進される。
【００１６】
本発明の実施形態は、情報及びコンテンツ−−オーディオ、ビジュアル又は両方−−を提供して、手術コンソール10の通常の付近におけるユーザ及び他の人間を教育する、情報を与える、又は単にもてなすために使用され得る。例えば、電子ディスプレイ画面１７は、一実施形態において、ユーザ及びその他の者に対して、手術コンソール製造者（又は他の製造者）によって製造された眼科手術製品のような手術製品を通知する情報”広告用掲示板（ｂｉｌｌｂｏａｒｄ）”として使用され得る。表示され得る他のコンテンツは、関連する医療ニュース、他の広告、一般のニュース、娯楽番組、製品のアップデート、音楽、映画、テレビ番組等を含み得る。コンテンツは、オーディオ／ビジュアルクリップとして、又は、当業者に既知のオーディオ及び／又はビジュアルの方法で、静止画像、フラッシュアニメーションとして提供され得る。リアルタイムニュース又は他のメディア供給物が、例えば、インターネット又は他のネットワークに接続する有線又は無線のネットワークインターフェースを介して、提供され得る。
【００１７】
図２は、手術コンソール１０の部分を形成し得る様々な機能モジュールの簡略されたブロック図を示している。手術コンソール１０は、機能的に、処理モジュール３２、入出力（Ｉ／Ｏ）インターフェース印刷回路基板（ＰＣＢ）３４に供給される電力信号５２、大容量記憶装置であり得る記憶装置３６，３８及び４０、オーディオ出力（スピーカー）４６、ディスプレイポート又はコネクタ５０、拡張パネル４２、及びオーディオ／ビデオ入力に対する外部接続を含み得る。インターフェースＰＣＢ３４は、オーディオ出力５８、電力出力５９、及びオーディオ入力５４を含み得る。インターフェースＰＣＢ３４は、電力信号５２を供給する外部又は内部電源１５２に結合する。インターフェースＰＣＢ３４は、手術コンソール１０の様々な他の機能要素に電力を分配できる。例えば、電力は、接続５９Ａ、５９Ｂ、５９Ｃ、５９Ｄ、及び５９Ｅを通じて、必要に応じて、処理システム３２、大容量記憶装置３６〜４０、拡張パネル４２、及び手術コンソール１０内のその他の機能ユニットに分配され得る。更に、インターフェースＰＣＢ３４は、外部ソースから又は処理モジュール３２との接続からの何れかから、オーディオ／ビデオ入力５４を通してオーディオ信号を受信し得る。インターフェースＰＣＢ３４は、オーディオ入力を、オーディオ出力ポート５８及びスピーカ４６に送ることができる。
【００１８】
大容量記憶装置３６〜４０は、ハードドライブ、ＤＶＤドライブ、ＣＤドライブ、テープドライブ、ＶＨＳデッキ、ソリッドステートメモリ及び当業者に既知の他の類似の記憶装置を備え得る。インターフェースＰＣＢ３４は、大容量記憶装置３６〜４０に電力を供給する。大容量記憶装置３６〜４０の内部に含まれたコンテンツ又は他の情報は、処理モジュール３２に対する様々なインターフェースを通じてアクセス可能であり、且つ、インターフェースＰＣＢ３４によって手術コンソール１０の適切な再生部分に対して送られ得る。例えば、ＭＰ３ファイル、ｗａｖｅファイル、又はその他の類似のファイルなどのデジタルオーディオファイルの場合には、オーディオ信号がスピーカ４６に送られ、又は、ビデオ又は画像コンテンツがディスプレイモジュール１７に提供され得る。そのようにして、大容量記憶装置３６〜４０、又はＭＰ３プレーヤのような、これに限定されない、外部マルチメディア再生装置が、インターフェースＰＣＢ３４に結合されて、オーディオ及び／又はビデオ信号を、インターフェースＰＣＢ３４に提供し得る。そして、オーディオ及び／又はビデオ信号は、処理モジュール３２によって処理され、スピーカ４６又はディスプレイモジュール１７のような適切な再生手段を用いて示される。更には、キーボード又はマウスなどの制御装置がインターフェースＰＣＢ３４に結合されて、マルチメディアファイルの再生を制御し得る。この代わりに、ある実施形態では、ディスプレイ１７内に示されるように定義された機能を有し得るボタン１８及びノブ２０が、大容量記憶装置３６〜４０又は外部に接続された装置内に保存されたマルチメディアコンテンツの再生を制御するために使用され得る。
【００１９】
処理モジュール３２は、単一の処理装置又は複数の処理装置であってよい。そのような処理装置は、マイクロプロセッサ、マイクロコントローラ、デジタルシグナルプロセッサ、マイクロコンピュータ、中央処理装置、フィールドプログラマブルゲートアレイ、プログラマブル論理装置、状態機械、論理回路、アナログ回路、デジタル回路、及び／又は動作命令に基づいて信号（アナログ及び／又はデジタル）を操作する任意の装置であってよい。メモリは、単一の記憶装置又は複数の記憶装置であってよい。そのような記憶装置は、読み出し専用メモリ、ランダムアクセスメモリ、揮発性メモリ、不揮発性メモリ、スタティックメモリ、ダイナミックメモリ、フラッシュメモリ、キャッシュメモリ、及び／又はデジタル情報を保存する任意の装置であってよい。処理モジュール３２が状態機械、アナログ回路、デジタル回路、及び／又は論理回路を介してその機能の１つ又は複数のものを実装する際には、対応する動作命令を保存するメモリを状態機械、アナログ回路、デジタル回路、及び／又は論理回路を有する回路内に又はこの外部に埋め込みし得ることに留意されたい。メモリは、図面に示されている段階及び／又は機能の少なくともいくつかのものに対応した動作命令を保存し、処理モジュールが、これらの動作命令を実行する。処理モジュール３２は、上述したように、手術コンソール１０において表示／再生のためにリアルタイムに又は別なふうにコンテンツを受信することができるネットワークインターフェース３００を含む。
【００２０】
図２から見られるように、手術コンソール１０は、様々な機能を実行するべくプログラムされ得る汎用コンピュータ（プロセッサ）にリンクされ得る。本発明の実施形態は、例えば手術コンソール１０の非手術モードの間に、パーソナルコンピュータがし得るのとほぼ同じ方法で、この機能を利用してオーディオ／ビジュアル情報を表示する。非手術モードは、手術コンソール１０の起動及びセットアップモードを含み、その間に、電子ディスプレイ画面１７がここで説明されるように追加のコンテンツを表示するように使用され得る。例えば、手術コンソール１０の起動中に、当業者に既知の短い「スプラッシュ画面」が、アプリケーションの初期化画面とセットアップ画面との間に現れて、広告又は他のコンテンツを表示し得る。この例が、図３Ａから３Ｃに示される。セットアップ画面中に一度、空いた（非手術）コンソール時間の間に、スクリーンセーバと類似した特徴が、同様のコンテンツを表示するために使用され得る。また、非手術モードは、外科手術中又は別の間に、手術コンソール１０が、手術のために活動的に（ａｃｔｉｖｅｌｙ）使用されていない任意の他の時間を含み得る。
【００２１】
図４Ａ〜４Ｃは、そのような手術コンソール１０の空いたモード（ｉｄｌｅ  ｍｏｄｅ）時間中における、本発明の実施形態の動作の別な例を示す。図４Ａに示すように、手術コンソール１０は、セットアップ画面の間、例えば、ユーザが示されたタスクを遂行する間、待機している。任意の設定された時間が経過した後、電子ディスプレイ画面１７は、図４Ｂに示すように、選択されたオーディオ及び／又はビジュアルコンテンツを表示するように切り替わり得る。設定時間の後、若しくは、オペレータ又は手術コンソール１０が機能が完了したことを示す動作、又は手術コンソール１０がもはや空運転ではないことを示す別な動作に基づいて、電子ディスプレイ画面１７は、図４Ｃに示すように、非アイドル表示に切り替わって戻るだろう。
【００２２】
本発明の実施形態は、そのような非手術モード中に、手術コンソール１０によって提供される情報をユーザが制御するための画面上の選択／機能を提供し得る。例えば、図４Ｂに示すように、「前」、「中断」、「次」及び「却下」機能が、ユーザによって選択されて、非手術モード中に提供されるコンテンツを変更又は中断し得る。更に、ユーザ／外科医は、非手術モード中に追加のコンテンツが表示されないように選択し、そして、フットスイッチ又はハンドピースのような、１つ又は複数の接続された周辺装置の操作が、非手術モード情報の表示を停止させるように、手術コンソール１０を構成できる。
【００２３】
図５は、本発明の実施形態が実装され得る別の手術コンソール１００を示す。図５から、手術コンソール１０又は１００のような手術コンソールが、手術手順が行われる前にセットアップを必要とする多くの消耗品と協働して働くことが見られ得る。本発明の実施形態は、手術コンソール１０又は１００のセットアップ及び使用に関連した空いた時間（アイドル時間）を使用するシステム及び方法を提供する。
【００２４】
図５は、眼科手術コンソール１００の一実施形態の図表示である。手術コンソール１００は、タッチスクリーン１１５を有する回転モニタ１１０を含み得る。回転モニタ１１０は、タッチスクリーン１１５を見る必要のある者誰に対しても、様々な方向に位置付けられ得る。回転モニタ１１０は、回転及び傾斜すると共に、左右に回ることができる。タッチスクリーン１１５は、ユーザがコンソール１００と相互に作用することを許容するグラフィカルインターフェース（ＧＵＩ）を提供する。
【００２５】
動作の際には、カセット（図示されてはいない）をカセット受容部１２５内に配置可能である。手術コンソール１００内のクランプは、カセットを定位置にクランプし、使用の際のカセットの動きを極小化する。クランプは、カセットの上部及び底部をクランプするか、カセットの側部をクランプするか、又は、その他の方式によってカセットをクランプ可能である。手術コンソール１００は、一例として提供されたものであり、本発明の実施形態は、様々な手術システムと共に実装可能である。
【００２６】
本発明の実施形態による手術コンソールのユーザは、販売員がその場にいなくても、手術コンソール製造者又は任意の他の会社の製品の提供を認識又は想起させられ得る。更に、ユーザは、本発明の実施形態のネットワーク機能を介して、リアルタイムに最新の情報が届けられ得る。”従来の”広告又は放送メディアのために創られた任意のコンテンツは、本発明の実施形態の手術コンソール上の表示のために容易に構成され得る。そのように、ニュース（例えば、医療速報ニュース又は他のニュース）、製品の提供、娯楽又は任意のそのようなコンテンツが、他の空いた時間の間に、ユーザに対して提供され得る。特に、手術コンソールの広告は、販売員と外科医及びスタッフとの直接のやりとりのような、従来の形式の広告を補足し補完するために使用され得る。
【００２７】
既知のプログラミング技術、コンピュータソフトウェア、ハードウェア、動作プラットフォーム、及びプロトコルの説明は、発明の詳細を不必要に不明瞭にしないようにするべく、省略される場合がある。但し、詳細な説明及び特定の例は、本発明の好適な実施形態を示すものであって、限定としてではなく、例示を目的として付与されることを理解されたい。この開示内容から、基礎を成す発明の概念の精神及び／又は範囲内の様々な置換、変更、追加、及び／又は再構成が当業者に明らかとなろう。
【００２８】
当業者であれば理解するように、本明細書に使用されている「実質的に（ｓｕｂｓｔａｎｔｉａｌｌｙ）」又は「略（ａｐｐｒｏｘｉｍａｔｅｌｙ）」という用語は、業界に受け入れられた許容範囲を、その対応する用語に対して提供している。このような業界に受け入れられた許容範囲は、１パーセント〜２０パーセット未満の範囲を有し、且つ、コンポーネント値、集積回路のプロセス変動、温度変動、立ち上がり及び立ち下がり時間、並びに／又は、熱雑音に対応しているが、これらに限定されるものではない。当業者であれば、更に理解するように、本明細書に使用されている「動作可能に結合された（ｏｐｅｒａｂｌｙ ｃｏｕｐｌｅｄ）」という用語は、別のコンポーネント、要素、回路、又はモジュールを介した直接的結合及び間接的結合を含み、この場合に、間接的結合の場合には、介在するコンポーネント、要素、回路、又は、モジュールは、信号の情報を変更することはないが、その電流レベル、電圧レベル、及び／又は電力レベルを調節可能である。又、当業者であれば理解するように、推定結合（即ち、１つの要素が別の要素に推定によって結合される場合）も、「動作可能に結合された」と同様に、２つの要素の間における直接的及び間接的結合を含む。当業者であれば更に理解するように、本明細書に使用されている「有利に比較される（ｃｏｍｐａｒｅｓ ｆａｖｏｒａｂｌｙ）」という用語は、複数の要素、項目、信号などの間における比較が、望ましい関係を提供することを示している。例えば、望ましい関係が、信号１が信号２を上回る大きさを具備するというものである際には、有利な比較は、信号１の大きさが信号２の大きさを上回っている際に、又は、信号２の大きさが信号１の大きさを下回っている際に、実現可能である。
【００２９】
以上、本発明について詳述したが、添付の請求項に記述された本発明の精神及び範囲を逸脱することなしに、様々な変更、置換、及び変形を実施可能であることを理解されたい。
【図１】
2011502588.tif 000003
【図２】
2011502588.tif 000004
【図３Ａ−３Ｃ】
2011502588.tif 000005
【図４Ａ−４Ｃ】
2011502588.tif 000006
【図５】
2011502588.tif 000007
【国際調査報告】
2011502588.tif 000008